(57)【要約】【課題】保存されている映像出力を外部に出力する以前に予め確認する。【解決手段】複数の映像入力に対し、所定の処理を実行する映像処理手段（２）と、この映像処理手段（２）が実行する映像処理手順の情報を含む制御データを映像処理手段（２）に与える制御データ供給手段（５）と、制御データを生成して制御データ供給手段（５）に出力する制御データ生成手段（３）と、制御データを、操作入力に従って一時保持すると共に、この一時保持した制御データを、操作入力に従って制御データ供給手段（５）に出力する制御データ保持手段（６）と、映像処理手段（２）が処理を施した映像出力を一時保持する映像出力保持手段（１１）と、この映像出力保持手段（１１）に保持された映像出力を表示する映像モニタ手段（１２）と、を備える。【選択図】図１
2009284080.tif 000002
【特許請求の範囲】
【請求項１】
複数の映像入力に対し、所定の処理を実行する映像処理手段と、
この映像処理手段が実行する映像処理手順の情報を含む制御データを上記映像処理手段に与える制御データ供給手段と、
制御データを生成して上記制御データ供給手段に出力する制御データ生成手段と、
上記制御データを、操作入力に従って一時保持すると共に、この一時保持した制御データを、操作入力に従って上記制御データ供給手段に出力する制御データ保持手段と、
上記映像処理手段が処理を施した映像出力を一時保持する映像出力保持手段と、
この映像出力保持手段に保持された上記映像出力を表示する映像モニタ手段と、
を備えることを特徴とする映像処理装置。
【請求項２】
前記制御データ保持手段、前記映像出力保持手段および前記映像モニタ手段をそれぞれ複数備えることを特徴とする請求項１記載の映像処理装置。
【請求項３】
複数の前記映像モニタ手段は、
一つの表示画面上の表示領域が複数に分割されてなる複数の表示部を備え、
上記複数の表示部のそれぞれに対応した複数のスイッチ手段を上記表示部上に備える、
ことを特徴とする請求項２記載の映像処理装置。
【請求項４】
前記制御データ保持手段に前記制御データを一時保持するのに同期し、前記映像出力保持手段に前記映像出力を一時保持することを特徴とする請求項１から３のいずれか１項記載の映像処理装置。
【請求項５】
複数の映像入力に対し、所定の処理を実行するステップと、
映像処理を実行するための映像処理手順の情報を含む制御データを生成するステップと、
上記制御データを、操作入力に従って一時保持すると共に、この一時保持した制御データを、操作入力に従って出力するステップと、
処理を施した映像出力を一時保持するステップと、
保持された上記映像出力を表示するステップと、
を有することを特徴とする映像処理方法。
【請求項６】
複数の前記制御データをそれぞれ保持するステップと、
複数の前記制御データに基づき処理された複数の映像出力をそれぞれ保持するステップと、
保持されている複数の前記映像出力をそれぞれ表示するステップと、
を有することを特徴とする請求項５記載の映像処理方法。
【請求項７】
前記制御データを一時保持するのに同期し、前記映像出力を一時保持するステップを有することを特徴とする請求項５または６記載の映像処理方法。
【発明の詳細な説明】
【技術分野】
【０００１】
本発明は、映像処理装置および映像処理方法に関する。
【背景技術】
【０００２】
従来から、撮影された映像を編集する装置が知られている。例えば、特許文献１には、単一のモニタに複数のビデオ・プレビュー出力を同時に表示する技術が開示されている。また、特許文献２には、複数の映像信号を合成および編集する映像処理装置が開示されている。さらに、特許文献３には、オペレータが行う操作を容易にすることができ、かつ、スイッチャおよび特殊効果装置に対する設定状態の対応付けを容易に行い得る編集装置および操作制御装置が開示されている。
【０００３】
【特許文献１】特許第２７０４３２２号
【特許文献２】特開平１−１８６０５９号公報
【特許文献３】特開平７−３１２７２２号公報
【発明の開示】
【発明が解決しようとする課題】
【０００４】
特許文献１では、プロダクションスイッチャでビデオ信号を生成する際に信号をサンプリングし、単一のモニタで表示しているが、生成され保存された映像を対象としてはいない。特許文献２では、編集し保存する映像を対象としているが、保存容量を少なくしようとするものであり、特許文献１と同様に、保存された後の映像を対象とするものではない。特許文献３に記載の発明は、スイッチャと特殊効果装置とを関連付けるものであり、それぞれの表示情報に関連する制御データをメモリに記憶したり、読み出すようにしている。この特許文献３も、特許文献１、２と同様に、生成し保存された映像信号を対象としていない。
【０００５】
テレビの生放送などでは、映像スイッチャで番組開始前に所定の映像処理効果の事前設定を行い、それを保存した後、放送中に、保存した映像処理効果をメモリから読み出して再生する場合が多々ある。このような場合に、映像処理効果の事前設定を保存するためのメモリが多数あると、誤って、意図する映像処理効果とは異なる映像処理効果を保存したメモリからの映像処理効果を読み出して再生する危険が増大する。図４に、このような危険を有している映像処理装置の例を示す。
【０００６】
図４は、上述した危険を有する映像処理装置２０Ｃのブロック構成図である。映像処理装置２０Ｃは、映像入力部１において、映像処理部２に複数の映像を入力する。映像処理装置２０Ｃは、映像処理部２に入力された複数の映像に対し、映像処理操作部３からの操作によって映像出力部４から出力させる映像を選択または合成することができる。これにより、映像処理装置２０Ｃは、様々な合成映像信号を映像処理操作部３からの操作によって作り出すことができる。
【０００７】
映像処理操作部３は、オペレータの操作入力による映像の選択または合成指示を受け付ける。さらに、映像処理操作部３は、受け付けた映像の選択または合成指示を制御データに変換する。また、映像処理操作部３は、制御データを制御データレジスタ５に出力する。制御データレジスタ５は、映像処理操作部３から入力された制御データを映像処理部２に出力する。これにより映像処理部２において制御データに基づく映像処理が実行される。
【０００８】
図５は、映像処理装置２０Ｃによって作り出された合成映像信号の例を示す図である。図５の例では、ステップＳ１０として、映像♯１、映像♯２、映像♯３、映像♯４の中から所望する映像を選択する処理を実行する。この結果、映像♯１、映像♯２、映像♯３が選択される。続いて、ステップＳ１１として、映像♯１、映像♯２、映像♯３を合成する処理を実行する。
【０００９】
このように、映像処理操作部３からの操作入力に基づき、作りたい合成映像信号が得られた場合に、そのときの制御データを保存することができる。その保存する機能は、ショットメモリ機能と呼ばれている。また、制御データは、ショットメモリレジスタ６に保存される。ショットメモリレジスタ６への制御データの書込みまたは読出しは、ショットメモリ操作部７Ｃによって指示する。また、ショットメモリレジスタ６からの制御データの読出しが行われると、映像処理装置２０Ｃは、その制御データが書込まれたときの状態になる。これにより、映像処理部２では、制御データが書き込まれたときと同じ映像処理が実行される。また、ショットメモリレジスタ６を複数用意し、それぞれのショットメモリレジスタ６において制御データの書込みまたは読出しができる。なお、映像処理部２から出力される映像出力は映像モニタ部８でモニタされる。
【００１０】
上述した映像処理装置２０Ｃでは、ショットメモリレジスタ６で保存された制御データに基づく映像出力を、映像出力部４から外部に出力する以前に予め確認することができない。また、ショットメモリレジスタ６を複数備えた映像処理装置において、オペレータは、どのショットメモリレジスタ６にどのような制御データが保持されているかを自らの記憶に頼って判別するしかない。
【００１１】
このように、保存されている映像出力を、映像処理装置によって扱う際には、熟練したオペレータの経験と勘に頼る部分が多い。しかしながら、映像処理装置を、オペレータの経験と勘に頼ること無く簡単に扱えるようにすることができれば好ましい。
【００１２】
本発明は、このような背景の下に行われたものであって、保存されている映像出力を外部に出力する以前に予め確認することができる映像処理装置および映像処理方法を提供することを目的とする。
【課題を解決するための手段】
【００１３】
本発明の映像処理装置は、複数の映像入力に対し、所定の処理を実行する映像処理手段と、この映像処理手段が実行する映像処理手順の情報を含む制御データを映像処理手段に与える制御データ供給手段と、制御データを生成して制御データ供給手段に出力する制御データ生成手段と、制御データを、操作入力に従って一時保持すると共に、この一時保持した制御データを、操作入力に従って制御データ供給手段に出力する制御データ保持手段と、映像処理手段が処理を施した映像出力を一時保持する映像出力保持手段と、この映像出力保持手段に保持された映像出力を表示する映像モニタ手段と、を備えることを特徴とする。
【００１４】
また、本発明を映像処理方法としての観点から観ることもできる。すなわち、本発明の映像処理方法は、複数の映像入力に対し、所定の処理を実行するステップと、映像処理を実行するための映像処理手順の情報を含む制御データを生成するステップと、制御データを、操作入力に従って一時保持すると共に、この一時保持した制御データを、操作入力に従って出力するステップと、処理を施した映像出力を一時保持するステップと、保持された映像出力を表示するステップと、を有することを特徴とする。
【発明の効果】
【００１５】
本発明によれば、保存されている映像出力を外部に出力する以前に予め確認することができる映像処理装置および映像処理方法を提供できる。
【発明を実施するための最良の形態】
【００１６】
（第一の実施の形態）
本発明の第一の実施の形態に係る映像処理装置２０について図１を参照して説明する。図１は、第一の実施の形態に係る映像処理装置２０のブロック構成図である。なお、図４に示す映像処理装置２０Ｃと同一または同種の部分は同一または同一系の符号を付し、その説明を省略または簡略化する。
【００１７】
図１に示す第一の実施の形態に係る映像処理装置２０は、映像処理手段である映像入力部１から入力される複数の映像入力のいずれかを選択または合成する処理を実行する映像処理部２を備える。また、この映像処理部２が実行する映像処理手順の情報を含む制御データを映像処理部２に与える制御データ供給手段としての制御データレジスタ５を備える。この制御データは、制御データ生成手段としての映像処理操作部３により生成されて制御データレジスタ５に出力される。さらに、制御データは、ショットメモリ操作部７からの書込指示に従って制御データ保持手段であるショットメモリレジスタ６に一時保持される。また、ショットメモリレジスタ６に保持された制御データは、ショットメモリ操作部７からの読出指示に従って制御データレジスタ５に出力される。なお、以上の説明は、図４に示した映像処理装置２０Ｃにおける説明と同様である。
【００１８】
ここで、第一の実施の形態に係る映像処理装置２０は、映像処理部２が処理を施した映像出力を一時保持する映像出力保持手段としての映像メモリ１１を備える。さらに、この映像メモリ１１に保持された映像出力を表示する映像モニタ手段である映像モニタ部１２を備える。
【００１９】
さらに、映像処理装置２０では、ショットメモリレジスタ６に制御データを一時保持するのに同期し、映像メモリ１１に映像出力を一時保持する。このような映像処理装置２０における動作手順を説明する。映像処理操作部３は、オペレータの操作入力による映像の選択または合成指示に従って制御データを生成する。映像処理操作部３が生成した制御データは、制御データレジスタ５に入力される。制御データレジスタ５は、映像処理操作部３から入力された制御データを映像処理部２に向けて出力する。映像処理部２は、制御データレジスタ５から入力された制御データに基づき映像処理を実行する。映像処理部２が映像処理を実行した結果として得られた映像出力は、分岐１３を介して映像出力部４から外部に出力される。さらに、分岐１３は、映像処理部２から入力された映像出力を映像メモリ１１側に分岐する。
【００２０】
このとき、オペレータがショットメモリ操作部７を操作することにより、制御データレジスタ５およびショットメモリレジスタ６に対して制御データの書込指示を与えたとする。これにより、制御データレジスタ５からショットメモリレジスタ６に向けて制御データの書込みが行われる。これによりショットメモリレジスタ６には制御データが保持される。ここまでは、従来と同じ処理である。
【００２１】
本発明では、映像処理装置２０は、ショットメモリ操作部７が制御データレジスタ５およびショットメモリレジスタ６に対して制御データの書込指示を与えるのに同期し、ショットメモリ操作部７は、映像メモリ１１に対して映像出力の書込指示を与える。なお、ショットメモリ操作部７による映像メモリ１１への映像出力の書込指示の送出は、オペレータがショットメモリ操作部７を操作して制御データの書込指示を制御データレジスタ５およびショットメモリレジスタ６に与えるのに同期して自動的に送出される。もちろん、ショットメモリ操作部７から映像メモリ１１への映像出力書込指示についてもオペレータの操作によって行ってもよい。しかしながら、オペレータの操作負荷を軽減するためには、ショットメモリ操作部７から映像メモリ１１への映像出力書込指示の送出については上述したように自動化することが好ましい。
【００２２】
映像メモリ１１は、ショットメモリ操作部７からの映像出力書込指示を受け取ると分岐１３により分岐された映像出力を保持する。これにより、映像モニタ部１２には、映像メモリ１１に保持された映像出力の内容が表示される。このようにして、オペレータは、ショットメモリ６に保持されている制御データによる映像処理効果を映像モニタ部１２に映し出された映像出力を観ることによって確認することができる。
【００２３】
また、オペレータがショットメモリ操作部７を操作してショットメモリレジスタ６に制御データ読出指示を与えたとする。これにより、ショットメモリレジスタ６は、制御データを制御データレジスタ５に対して読み出す。このようにしてショットメモリレジスタ６から制御データレジスタ５に出力された制御データは、制御データレジスタ５から映像処理部２に出力される。
【００２４】
（第一の実施の形態に係る映像処理装置２０における効果の説明）
第一の実施の形態に係る映像処理装置２０によれば、オペレータは、映像メモリ１１に保持されている映像出力を映像モニタ部１２により確認することができる。これにより、オペレータは、ショットメモリレジスタ６に保持されている制御データによる映像処理効果を、ショットメモリレジスタ６からの制御データが制御データレジスタ５に出力される以前に確認することができる。よって、オペレータの操作ミスを回避することができる。
【００２５】
（第二の実施の形態）
本発明の第二の実施の形態に係る映像処理装置２０Ａを図２を参照して説明する。図２は、第二の実施の形態に係る映像処理装置２０Ａのブロック構成図である。この第二の実施の形態に係る映像処理装置２０Ａは、第一の実施の形態に係る映像処理装置２０とは一部が異なる。以下では、第一の実施の形態と同一または同種の部分は同一または同一系の符号を用いて説明し、その説明を省略または簡略化し、かつ異なる部分について主として説明する。
【００２６】
図２に示すように、第二の実施の形態に係る映像処理装置２０Ａは、２つずつのショットメモリレジスタ６−１、６−２、映像メモリ１１−１、１１−２、映像モニタ部１２−１、１２−２を備える。
【００２７】
第二の実施の形態では、映像処理操作部３Ａは、２つの制御データ♯１および♯２のそれぞれによる異なる映像の選択または合成指示を行うことができる。また、ショットメモリ操作部７Ａは、２つの制御データ♯１および♯２のそれぞれについて、制御データの書込指示、制御データの読出指示を行うことができる。また、分岐１３Ａは、映像出力部４側、映像メモリ１１−１側、映像メモリ１１−２側の３方向に映像出力を分岐することができる。
【００２８】
例えば、ショットメモリレジスタ６−１が保持する制御データによって映像処理部２が映像処理した映像出力が映像メモリ１１−１に保持され、ショットメモリレジスタ６−２に保持する制御データによって映像処理部２が映像処理した映像出力が映像メモリ１１−２に保持されるようにする。これにより、オペレータは、ショットメモリレジスタ６−１、６−２のそれぞれがどのような制御データを保持し、その制御データによって映像処理された映像出力がどのようなものであるかを映像メモリ１１−１、１１−２および映像モニタ部１２−１、１２−２を用いて確認できる。
【００２９】
（第二の実施の形態に係る映像処理装置２０Ａにおける効果の説明）
第二の実施の形態に係る映像処理装置２０Ａによれば、２つの異なる制御データおよびこの２つの異なる制御データに基づく映像処理実行結果である映像出力を保持することができる。すなわち、第二の実施の形態に係る映像処理装置２０Ａによれば、映像メモリ１１−１、１１−２に保持されている映像出力をそれぞれ確認することができる。これにより、オペレータは、ショットメモリレジスタ６−１、６−２に保持されている制御データによる映像処理効果を、ショットメモリレジスタ６−１、６−２から制御データを制御データレジスタ５Ａに出力する以前に確認することができる。よって、オペレータの操作ミスを回避することができる。
【００３０】
なお、第二の実施の形態では、２つずつのショットメモリレジスタ６−１、６−２、映像メモリ１１−１、１１−２、映像モニタ部１２−１、１２−２を備えるとして説明した。しかしながら、３つずつ以上のショットメモリレジスタ６−１〜６−ｎ（ｎは自然数）、映像メモリ１１−１〜１１−ｎ、映像モニタ部１２−１〜１２−ｎを備えるとしても同様に説明できることは容易に類推できる。
【００３１】
（第三の実施の形態）
本発明の第三の実施の形態に係る映像処理装置２０Ｂを図３を参照して説明する。図３は、第三の実施の形態に係る映像処理装置２０Ｂのブロック構成図である。この第三の実施の形態に係る映像処理装置２０Ｂは、第二の実施の形態に係る映像処理装置２０Ａにおいて２個ずつ備えるショットメモリレジスタ６−１、６−２、映像メモリ１１−１、１１−２、映像モニタ部１２−１、１２−２の個数を、さらに多数のｎ（ｎは自然数）個とした例である。なお、ｎ＝２であれば第二の実施の形態と同じである。以下では、第二の実施の形態と同一または同種の部分は同一または同一系の符号を用いて説明し、その説明を省略または簡略化し、かつ異なる部分について主として説明する。
【００３２】
図３に示すように、第三の実施の形態に係る映像処理装置２０Ｂは、複数のショットメモリレジスタ６−１〜６−ｎ、映像メモリ１１−１〜１１−ｎを備える。これらのショットメモリレジスタ６−１〜６−ｎ、映像メモリ１１−１〜１１−ｎの説明については、第二の実施の形態の説明におけるショットメモリレジスタ６−１、６−２、映像メモリ１１−１、１１−２の個数を２個からｎ個に拡張した説明と同じである。従って、第二の実施の形態の説明から容易に類推できる説明については詳細な説明を省略する。
【００３３】
第三の実施の形態は、第二の実施の形態における複数の映像モニタ部１２−１、１２−２を１つのタッチパネル２１に置き換えたことを特徴とする。タッチパネル２１の構造については周知であることから詳細な説明は省略して簡単に説明する。タッチパネル２１は、１つの表示画面上に、ｎ個の異なる画像を表示することができる。なお、このように１つの表示画面上に、ｎ個の異なる画像を表示するためにｎ分割合成部２２を備える。ｎ分割合成部２２は、ｎ個の映像メモリ１１−１〜１１−ｎからのｎ個の映像出力♯１〜♯ｎを入力し、これらｎ個の映像出力♯１〜♯ｎの画像を１つの表示画面上に表示できるように合成する。これにより、タッチパネル２１の１つの表示画面上には、ｎ個の異なる画像が表示される。さらに、タッチパネル２１は、このｎ個の異なる画像にそれぞれ対応してｎ個のスイッチ手段を設ける。
【００３４】
このスイッチ手段は、例えば、透明な導電性樹脂による膜を有する。オペレータは、この膜を透過して見える画像を目視確認できる。さらに、オペレータは、この膜を透過して見える画像を目視確認した結果、その画像が映像出力を所望する画像である場合には、その画像上のスイッチ手段を押下する。このスイッチ手段の出力は、所望する制御データの読出指示♯１〜♯ｎとしてショットメモリ操作部７Ｂに伝達される。ショットメモリ操作部７Ｂは、オペレータが所望した制御データが保持されているショットメモリレジスタ６−ｉ（ｉは１〜ｎのいずれか）に対し、制御データの読出しを指示する。このようにして読出された制御データにより映像処理が実行される。これにより映像出力♯ｉが映像出力部１６から外部に出力される。
【００３５】
（第三の実施の形態に係る映像処理装置２０Ｂにおける効果の説明）
第三の実施の形態に係る映像処理装置２０Ｂによれば、オペレータは、１つのタッチパネル２１によって、複数の異なる映像出力を事前に確認することができる。これにより、確認すべき映像出力数が多い場合でも装置規模を小型化することができる。また、確認すべき映像出力数が多い場合でもオペレータの視認性および操作性を良好に保つことができる。
【００３６】
（各実施の形態の補足）
以上、本発明の第一の実施の形態、第二の実施の形態および第三の実施の形態について述べた。本発明は、これらの実施の形態に限定されることなく、本発明の要旨を逸脱しない限り、種々の変形が可能である。
【００３７】
例えば、各実施の形態では、映像入力部１、映像出力部４をそれぞれ１つずつ設けたが、これを複数設けることもできる。また、第三の実施の形態では、１つのタッチパネル２１を設けたが、これを複数のタッチパネル２１−１、２１−２とし、例えば、映像メモリ♯１〜♯ｉの映像出力はタッチパネル２１−１に表示し、映像メモリ♯（ｉ＋１）〜♯ｎの映像出力は、タッチパネル２１−２に表示することもできる。あるいは、第三の実施の形態において、１つのタッチパネル２１の他に、第二の実施の形態で説明した映像モニタ部１２−１、１２−２のような単独の映像モニタ部を別途設けてもよい。この場合には、例えば、映像メモリ♯１１−１〜♯１１−ｉの映像出力は１つのタッチパネル２１に表示し、映像メモリ♯１１−（ｉ＋１）〜♯１１−ｎの映像出力は、複数の映像モニタ部１２−（ｉ＋１）〜映像モニタ部１２−ｎに表示する。
【００３８】
また、映像処理操作部３、３Ａ、３Ｂとショットメモリ操作部７、７Ａ、７Ｂとを一つの操作部によって実現してもよい。
【００３９】
また、複数のショットメモリレジスタ６−１〜６−ｎ、映像メモリ１１−１〜１１−ｎは、複数のメモリによって実現してもよいし、１つのメモリ内の記憶領域を分割して実現してもよい。
【００４０】
また、映像処理として映像の選択または合成を例示したが、この他にも映像の変形などの加工処理を行うこともできる。また、映像処理手段としては映像の選択、合成または加工を行う映像処理部２を例示したがこれ以外にも動画の映像編集装置や既存の映像信号に特殊効果を与える特殊効果装置などを適用してもよい。
【００４１】
また、制御データ供給手段としては制御データレジスタ５を例示し、制御データ保持手段としてはショットメモリレジスタ６、６−１〜６−ｎを例示し、映像出力保持手段としては映像メモリ１１、１１−１〜１１−ｎを例示したがこれ以外にもデータの読み書きが可能な記録媒体（ＲＡＭ等）であれば適用可能である。
【００４２】
また、制御データ生成手段としてはオペレータの操作によって制御データを生成する映像処理操作部３、３Ａ、３Ｂを例示したがこれ以外にも制御データが記録された記録媒体の情報を読み込むことにより制御データを再生するような制御データ再生装置であってもよい。
【００４３】
また、映像モニタ手段としては映像モニタ部１２、１２−１、１２−２またはタッチパネル２１を例示したがこれ以外にもマルチ画面ディプレイやＰＣ（パーソナル・コンピュータ）のディスプレイに各映像メモリ１１−１〜１１−ｎの映像出力を分割表示するなどの方式を適用してもよい。
【００４４】
また、スイッチ手段としてはショットメモリ操作部７あるいはタッチパネル２１上のタッチスイッチを例示したがこれ以外にもＰＣのディスプレイに分割表示された各映像メモリ１１−１〜１１−ｎの映像出力をマウスでクリックするなどによってスイッチングを行ってもよい。
【産業上の利用可能性】
【００４５】
本発明は、複数の保存されている映像入力に対し、所定の処理を実行する全ての映像処理装置に利用することができる。
【図面の簡単な説明】
【００４６】
【図１】本発明の第一の実施の形態に係る映像処理装置のブロック構成図である。
【図２】本発明の第二の実施の形態に係る映像処理装置のブロック構成図である。
【図３】本発明の第三の実施の形態に係る映像処理装置のブロック構成図である。
【図４】本発明に関連する映像処理装置のブロック構成図である。
【図５】本発明に関連する映像処理装置による映像処理の一例を示す図である。
【符号の説明】
【００４７】
１  映像入力部、２  映像処理部（映像処理手段）、３、３Ａ、３Ｂ  映像処理操作部（制御データ生成手段）、４  映像出力部、５、５Ａ、５Ｂ  制御データレジスタ（制御データ供給手段）、６、６−１〜６−ｎ  ショットメモリレジスタ（制御データ保持手段）、７、７Ａ、７Ｂ、７Ｃ  ショットメモリ操作部（スイッチ手段）、８、１２、１２−１、１２−２  映像モニタ部（映像モニタ手段）、１１、１１−１〜１１−ｎ  映像メモリ（映像出力保持手段）、１３、１３Ａ、１３Ｂ  分岐、２０、２０Ａ、２０Ｂ、２０Ｃ  映像処理装置、２１  タッチパネル（映像モニタ手段、スイッチ手段）、２２  ｎ分割合成部（映像モニタ手段）
【図１】
2009284080.tif 000003
【図２】
2009284080.tif 000004
【図３】
2009284080.tif 000005
【図４】
2009284080.tif 000006
【図５】
2009284080.tif 000007